(57)【要約】【課題】従来のものでは、浴室を暖房する際に浴室内の室温が台所の室温になるように制御しているが、入浴しようとするものは必ずしも台所から浴室に向かうわけではなく、台所以外の居住スペースに滞在していている状態から浴室へと向かう。このとき、台所の室温が居住スペースの室温より低くなっている場合には、浴室内の室温が十分な温度まで暖房されていない状態で入浴することになり、浴室暖房装置を浴室に設置したメリットを生かすことができない。【解決手段】浴室内を暖房する目標温度である設定温度を、台所の室温と居住スペースの室温とのいずれか高い方の温度に設定する。【選択図】  図１
2017015347.tif 000002
【特許請求の範囲】
【請求項１】
浴室内の温度を設定温度に加熱する浴室暖房装置の制御システムにおいて、給湯装置の制御を行うため台所に設置された台所リモコンに台所の室温を検知する台所温度センサを設けると共に、台所以外の居住スペースを暖房するため居住スペースに設けられた暖房器具に居住スペースの室温を検知する居住温度センサを設け、上記浴室内を暖房する目標温度である設定温度を、上記台所温度センサの検知温度と居住温度センサの検知温度とのいずれか高い方の温度に設定することを特徴とする浴室暖房装置の制御システム。
【請求項２】
上記浴室内を暖房する目標温度である設定温度として上記居住温度センサの検知温度を採用する場合、この検知温度より所定温度低い値を上記設定温度とすると共に、上記居住スペースの暖房器具の暖房設定温度を浴室暖房用の設定温度と同じ温度に自動的に下げることを特徴とする請求項１に記載の浴室暖房装置の制御システム。
【請求項３】
上記台所温度センサの検知温度に上限値を設定しておき、この台所温度センサの検知温度がこの上限値を超えた場合には台所温度センサの検知温度を使用せず、上記居住温度センサの検知温度に基づいて浴室暖房の設定温度を決定することを特徴とする請求項１または請求項２に記載の浴室暖房装置の制御システム。
【請求項４】
上記居住温度センサを備えていない場合に、上記台所温度センサによる検知温度を所定時間継続して検知し、その継続して検知される台所の室温から上記居住スペースの室温を推定することを特徴とする請求項１から請求項３のいずれかに記載の浴室暖房装置の制御システム。
【発明の詳細な説明】
【技術分野】
【０００１】
本発明は、浴室内を暖房する浴室暖房装置の制御システムに関する。
【背景技術】
【０００２】
特に冬季など外気温が低い場合に、入浴するため低温の浴室内に入ると、それまでいた室内温度と浴室内の室温との差が大きいため、健康上よくない。そこで、浴室内を暖房する浴室暖房装置を設置して、入浴する前に予め浴室内の室温を温めておくことが望まれる。
【０００３】
この浴室暖房装置による暖房温度を設定する際に、台所リモコン内に組み込まれた温度センサの検知温度を利用し、浴室内の温度を台所の室温を同じ温度に暖房することによって、入浴前にいた環境と浴室に入った時点の環境との差を無くそうとしたものが知られている（例えば、特許文献１参照）。
【先行技術文献】
【特許文献】
【０００４】
【特許文献１】特開２００４-２９３８４７号公報（段落［００１７］）
【発明の概要】
【発明が解決しようとする課題】
【０００５】
上記従来のものでは、浴室を暖房する際に浴室内の室温が台所の室温になるように制御しているが、入浴しようとする者は必ずしも台所から浴室に向かうわけではなく、台所以外の居住スペースに滞在していている状態から浴室へと向かう場合もある。
【０００６】
このとき、台所の室温が居住スペースの室温より低くなっている場合には、浴室内の室温が十分な温度まで暖房されていない状態で入浴することになり、浴室暖房装置を浴室に設置したメリットを生かすことができないという不具合が生じる。
【０００７】
そこで本発明は、上記の問題点に鑑み、入浴時の浴室の室温を、入浴者が入浴直前までいた環境温度に可及的に近づけることのできる浴室暖房装置の制御システムを提供することを課題とする。
【課題を解決するための手段】
【０００８】
上記課題を解決するために本発明による浴室暖房装置の制御システムは、浴室内の温度を設定温度に加熱する浴室暖房装置の制御システムにおいて、給湯装置の制御を行うため台所に設置された台所リモコンに台所の室温を検知する台所温度センサを設けると共に、台所以外の居住スペースを暖房するため居住スペースに設けられた暖房器具に居住スペースの室温を検知する居住温度センサを設け、上記浴室内を暖房する目標温度である設定温度を、上記台所温度センサの検知温度と居住温度センサの検知温度とのいずれか高い方の温度に設定することを特徴とする。
【０００９】
浴室暖房装置を稼働させて入浴時に浴室を暖房するのは冬季などの外気温が低い場合である。このような場合に、入浴時の浴室の室温が低い場合は問題であるが、浴室の室温が多少高すぎても問題は生じない。そこで、入浴者が入浴直前までいた可能性のある居住スペースの室温も加味して、居住スペースの室温と台所の室温とのうち、高い方の室温と同じ温度になるように浴室を暖房するようにした。なお、居住スペースには暖房器具が設けられている場合が多く、この暖房器具には室温を検知する温度センサが設けられている。そこで、その既存の温度センサを居住温度センサとして流用することとした。
【００１０】
ところで、台所の室温より居住スペースの室温が高い場合には居住スペースの室温に基づいて浴室を暖房するが、居住スペースの室温が変更されていなければ、入浴後に居住スペースに戻った際に、入浴前よりも室温が暑く感じる場合がある。そこで、省エネの観点から、上記浴室内を暖房する目標温度である設定温度として上記居住温度センサの検知温度を採用する場合、この検知温度より所定温度低い値を上記設定温度とすると共に、上記居住スペースの暖房器具の暖房設定温度を浴室暖房用の設定温度と同じ温度に自動的に下げることが望ましい。
【００１１】
また、台所では煮炊きをするので室温が異常に高くなる場合が有り、そのような異常に高い室温に合わせて浴室を暖房すると、浴室内が必要以上に暖房されることになる。そこで、上記台所温度センサの検知温度に上限値を設定しておき、この台所温度センサの検知温度がこの上限値を超えた場合には台所温度センサの検知温度を使用せず、上記居住温度センサの検知温度に基づいて浴室暖房の設定温度を決定することが望ましい。
【００１２】
また、居住スペースに暖房器具が備えられていない場合には、上記居住温度センサが存在しない。そこで、上記居住温度センサを備えていない場合に、上記台所温度センサによる検知温度を所定時間継続して検知し、その継続して検知される台所の室温から上記居住スペースの室温を推定することが望まれる。
【発明の効果】
【００１３】
以上の説明から明らかなように、本発明は、浴室暖房の設定温度を台所の室温のみに限定せず、居住スペースの室温も考慮して設定するので、入浴者が入浴直前にいた環境と浴室内の環境との差を可及的に少なくして、快適な入浴を実現することができる。
【図面の簡単な説明】
【００１４】
【図１】浴室暖房装置が設置される家屋の構造を示す図
【図２】居住スペースの室温を推測するためのグラフ
【発明を実施するための形態】
【００１５】
図１を参照して、１は台所で有り、この台所１に隣接して居住スペースの一例である居間２と、浴室３および脱衣室４とが設けられている。屋外には給湯装置５が設けられており、台所１には給湯装置５の出湯温度を調節したり浴室３の浴槽に湯張りをするための台所リモコン１１が設けられている。なお、この台所リモコン１１には台所１の室温を検知するための台所温度センサ（図示せず）が内蔵されている。
【００１６】
居間２には温水式の床暖房装置６が設けられており、この床暖房装置６の動作を制御する居間リモコン２１が設けられている。この居間リモコン２１には居間２の室温を検知する居住温度センサ（図示せず）が内蔵されている。
【００１７】
浴室３には浴槽に湯張りしたり追い焚きをするための風呂リモコン３１が設けられている。また、この浴室３の天井部分には給湯装置５からの温水を熱源とする浴室暖房装置７が設けられている。
【００１８】
この浴室暖房装置７は風呂リモコン３１によっても制御できるが専用のリモコン４１が脱衣室４に設けられている。このリモコン４１によって浴室暖房装置７を手動で運転開始させることができると共に、リモコン４１で「自動」にセットすると、例えば台所リモコン１１で浴槽への湯張りを行うと、湯張り開始に連動して浴室暖房装置７が自動的に作動を開始して浴室３の暖房を開始する。
【００１９】
このように浴室３の暖房を自動で開始する際の暖房温度について以下に説明する。
【００２０】
給湯装置５の制御部は浴室暖房装置７の自動運転が開始されると、台所リモコン１１に組み込まれている台所温度センサの検知温度と、居間２の居間リモコン２１に組み込まれている居住温度センサの検知温度とを比較して、浴室３の室温が台所１の室温と居間２の室温とのうちの高い方の温度と同じ温度になるように設定する。
【００２１】
ここで、台所１の室温より居間２の室温が高い場合、上述のように、浴室３の室温が居間２の室温と同じ温度になるように暖房しても良いが、浴室３の室温がその時点での居間２の室温より例えば２℃低い温度になるように暖房すると共に、床暖房装置６の動作を制御して、居間２の室温がその時点の室温より同じく２℃低くなるように暖房能力を低下させるようにしてもよい。
【００２２】
このように、その時点での居間２の室温と同じ温度になるように浴室３の室温を暖房するのではなく、２℃低い温度に設定すると、浴室３に入った時点での違和感はほとんどなく、入浴後に居間２に戻った際に、居間２の室温が必要以上に高温であると感じることが緩和される。そして、入浴中における床暖房装置６でのエネルギ消費量が抑制されるので、省エネ上も好ましい。
【００２３】
なお、台所１では、煮炊きをした場合など一時的に台所１の室温が高温になりすぎる場合がある。そこで、台所リモコン１１の台所温度センサの検知温度に対して、例えば３０℃の上限値を設定しておき、台所温度センサの検知温度がこの上限値を超えた場合には、台所温度センサの検知温度を採用せずに居間リモコン２１の居住温度センサの検知温度に基づいて浴室３の暖房を行うようにした。
【００２４】
なお、居間２に床暖房装置６が設けられていない場合には居間２の室温を直接検知することができない。そこで、そのような場合には台所リモコン１１の台所温度センサの検知温度に基づいて居間２の室温を推測するようにした。
【００２５】
図２を参照して、居間２に温度センサが設置されていない場合には原則として台所リモコン１１が検知する台所の室温を居間の室温Ｔｆとして使用する。但し、上述のように、台所１では調理時等に室温が上昇するので、その上昇した温度を居間２の室温Ｔｆとして使用することはできない。そこで、台所の室温を例えば５分おきに継続して検知しておき、台所の室温が急に上昇し出したポイントＰ１の室温Ｔ１と、温度上昇が落ち着いたポイントＰ２の室温Ｔ２とから、居間２の室温Ｔｆを推測する。その際、例えば、Ｔｆ＝２／３＊（Ｔ２−Ｔ１）＋Ｔ１として推測する。但し、この係数２／３は家屋の構造によって相違する場合があるので、本発明が適用される家屋毎に係数を調節することが望まれる。また、ほかの数式によってＴｆを推測しても良い。
【００２６】
なお、本発明は上記した形態に限定されるものではなく、本発明の要旨を逸脱しない範囲内において種々の変更を加えてもかまわない。
【符号の説明】
【００２７】
１ 台所
２ 居間
３ 浴室
４ 脱衣室
５ 給湯装置
６ 床暖房装置
７ 浴室暖房装置
１１ 台所リモコン
２１ 居間リモコン
３１ 風呂リモコン
４１ リモコン
【図１】
2017015347.tif 000003
【図２】
2017015347.tif 000004